(57)【要約】      （修正有）【課題】配管にケーブルを入線するに際して作業効率を向上させ、作業環境を潤滑剤で汚す事を防止するケーブル入線用潤滑剤塗布装置を提供する。【解決手段】開閉するケーシング２と、ケーシング２の内部に配置されて潤滑剤を含浸可能な多孔質の潤滑剤含浸部材３と、を有する。入線するケーブルをケーシングの中に通す。潤滑剤を潤滑剤含浸部材に供給しながら、ケーブルをケーシングの中を通過させることにより、ケーブルの外周面に、潤滑剤を塗布する。ケーシングを配管の開口端に取付けることにより、入線作業とケーブルの潤滑材塗布作業が同時にできる。【選択図】図９
0003152616.tif 000002
【実用新案登録請求の範囲】
【請求項１】
ケーブルの外周面に潤滑剤を塗布するケーブル入線用潤滑剤塗布装置であって、
上蓋及び下蓋を有して開閉可能なケーシングと、当該ケーシングの内部に配置されて潤滑剤を含浸可能な多孔質の潤滑剤含浸部材と、を有し
前記ケーシングは、前記潤滑剤含浸部材に潤滑剤を供給する潤滑剤供給口と、ケーブル入口と、ケーブル出口と、を有し、
前記潤滑剤供給口は、潤滑剤供給源に接続されていることを特徴とするケーブル入線用潤滑剤塗布装置。
【請求項２】
前記ケーブル出口は、配管の開口端を挿入可能に構成されていることを特徴とする請求項１記載のケーブル入線用潤滑剤塗布装置。
【請求項３】
前記ケーブル出口は、配管の開口端に挿入可能に構成されていることを特徴とする請求項１記載のケーブル入線用潤滑剤塗布装置。
【請求項４】
配管の開口端に前記ケーシングを固定する固定具を有することを特徴とする請求項１から請求項３のうちいずれかの請求項に記載のケーブル入線用潤滑剤塗布装置。
【請求項５】
前記ケーブル出口は、配管の中の既設ケーブルを、前記ケーシングの外側に取り出すための切り欠きを有していることを特徴とする請求項１から請求項４のうちいずれかの請求項に記載のケーブル入線用潤滑剤塗布装置。
【考案の詳細な説明】
【技術分野】
【０００１】
本考案は、配管の中にケーブルを挿入するケーブル入線作業の際の、ケーブルの外周面に潤滑剤を塗布するケーブル入線用潤滑剤塗布装置に関するものである。
【背景技術】
【０００２】
ケーブル入線作業の時に、ケーブルの外周面に潤滑剤を塗布する技術として、ケーブル入線用潤滑剤塗布工具が提唱されている(特許文献１参照)。
【先行技術文献】
【特許文献】
【０００３】
【特許文献１】特開平１０−０４２４１６号公報
【考案の概要】
【考案が解決しようとする課題】
【０００４】
しかしながら、前述したケーブル入線用潤滑剤塗布工具を使用しても、潤滑剤を直接ケーブル入線用潤滑剤塗布工具に注入しないといけない為、作業効率がわるい。また、作業員が手作業で直接、潤滑剤をケーブル入線用潤滑剤塗布工具に注入しなければならない。この為、手や作業場を汚す可能性がある。特に、既設ケーブルが配管に存在する場合、既設ケーブルが新たなケーブルの入線作業の邪魔になり、既設ケーブルを気にしながら、潤滑剤を塗布する作業と配管への入線作業を同時に、行わないといけない為、作業が煩雑である。
【０００５】
本考案は、上記の問題を解決するための物であり、その目的とするところは、配管に新たなケーブルを入線するに際して作業効率を向上可能であり、作業環境を潤滑剤で汚す事を防止可能なケーブル入線用潤滑剤塗布装置を提供することである。
【課題を解決するための手段】
【０００６】
本考案はその課題を解決するために以下のような構成をとる。請求項１の考案に係るケーブル入線用潤滑剤塗布装置は、ケーブルの外周面に潤滑剤を塗布するケーブル入線用潤滑剤塗布装置であって、上蓋及び下蓋を有して開閉可能なケーシングと、当該ケーシングの内部に配置されて潤滑剤を含浸可能な多孔質の潤滑剤含浸部材と、を有し、前記ケーシングは、前記潤滑剤含浸部材に潤滑剤を供給する潤滑剤供給口と、ケーブル入口と、ケーブル出口と、を有し、前記潤滑剤供給口は、潤滑剤供給源に接続されている。
【０００７】
ケーブルを挿入する配管の開口端側をケーブル挿入側とする。ケーブルを引き出す配管の開口端側をケーブル引き出し側とする。作業員を、配管の両方の開口端側に配置する。ケーブルを配管の中に入線する際は、まず、ケーブル引き線を配管の中にケーブル挿入側の開口端からケーブル引き出し側の開口端まで、通しておく。ケーブル入線用潤滑剤塗布装置は、ケーブル挿入側で、使用する。入線するケーブルをケーブル挿入側に準備する
【０００８】
そしてケーブルの端部とケーブル引き線の端部を接続する。ケーブル挿入側の作業員は、ケーブルが接続されたケーブル引き線を、ケーシングのケーブル入口とケーブル出口に合わせて、入れる。その際ケーシングの向きは、ケーブル出口を、これから入線する配管側に向ける。ケーシングの上蓋と下蓋を閉める。ケーシングに取り付けてあるバンドで、ケーシングが開かないように、固定する。そして潤滑剤は、潤滑剤供給口から、ケーシング内の、潤滑剤含浸部材に供給される。ケーブル引き線に接続されたケーブルは、ケーシングを通過する際、ケーシング内で潤滑剤含浸部材に接触してケーブルの外周面に、潤滑剤が付着する。ケーブルをケーブル出口側から引き出すと、この引き出されたケーブルの外周面には潤滑剤が塗布されている。
【０００９】
ケーブル挿入側の作業員がケーブル入線用潤滑剤塗布装置を支持する。ケーブル引き出し側の作業員が、ケーブル引き線を、配管の開口端から引き出す。その際、ケーブル挿入側の作業員は、ケーブルをケーシングの中を通過させ、配管に送り出す。ケーブルを送り出す際、適量の潤滑剤をケーシング内部の潤滑剤含浸部材に供給する。ケーシングの中を通過しケーブル出口から引き出されたケーブルの、外周面には、潤滑剤が塗布されている。潤滑剤を塗布されたケーブルが、ケーブル引き線に引っ張られて、配管の中に入線される。
【００１０】
請求項２の考案に係るケーブル入線用潤滑剤塗布装置は、請求項１記載のケーブル入線用潤滑剤塗布装置であって、前記ケーブル出口は、配管の開口端を挿入可能に構成されている。
【００１１】
ケーブル出口に配管の開口端を挿入することにより、潤滑剤を塗布したケーブルを、ケーブル出口から直接配管内に入線することができる。これにより、潤滑剤が周囲に飛び散ったり付着したりする事を防止できる。
【００１２】
請求項３の考案に係るケーブル入線用潤滑剤塗布装置は、請求項１記載のケーブル入線用潤滑剤塗布装置であって、前記ケーブル出口は、配管の開口端に挿入可能に構成されている。
【００１３】
ケーブル出口を配管の開口端に挿入することにより、潤滑剤を塗布したケーブルを、ケーブル出口から直接配管内に入線することができる。これにより、潤滑剤が周囲に飛び散ったり付着したりする事を防止できる。
【００１４】
請求項４の考案に係るケーブル入線用潤滑剤塗布装置は、請求項１から請求項３のうちのいずれかの請求項に記載のケーブル入線用潤滑剤塗布装置であって、配管の開口端に、前記ケーシングを固定する固定具を有する。ケーシングを配管の開口端に固定することで、ケーブル入線用潤滑剤塗布装置も配管の開口端に固定される。ケーブル入線用潤滑剤塗布装置を、固定具によって配管の開口端に固定すれば、ケーブル挿入側の作業員は、手でケーブル入線用潤滑剤塗布装置を支持する必要がなくなる。これにより、ケーブル挿入側の作業員はケーシングの中の潤滑剤含浸部材に潤滑剤を供給し、ケーブルをケーブル入口に送り出す作業だけでよい。
【００１５】
請求項５の考案に係るケーブル入線用潤滑剤塗布装置は、請求項１から請求項４のうちのいずれかの請求項に記載のケーブル入線用潤滑剤塗布装置であって、前記ケーブル出口は、配管の中の既設ケーブルを、前記ケーシングの外側に取り出すための切り欠きを有している。新たにケーブルを、通そうとする配管の中に、既設ケーブルが存在しても、この既設ケーブルを、ケーブル出口の切り欠きより、ケーシングの外側に取り出し、配管の開口端にケーシングを固定する事が、出来る。これにより新たに入線するケーブルと入線作業に邪魔になる既設ケーブルを分けることが出来る。この事により入線作業が効率よく出来る。
【考案の効果】
【００１６】
本考案のケーブル入線用潤滑剤塗布装置の効果は次の通りである。ケーブルをケーシングの中に入れる。潤滑剤を潤滑剤供給口から潤滑剤含浸部材へ供給する。ケーブルをケーブル入口から、ケーブル出口へ通過させる事により、簡単にケーブルの外周面に潤滑剤を塗布する事ができる。その為、潤滑剤で、手や作業場を汚す事が無く、効率よく入線作業ができる。
【００１７】
配管へのケーブル入線の際、ケーシングを既設ケーブルの有る無しに関わらず配管の開口端に固定することができる。ケーシングを配管の開口端に固定することで、ケーブル入線用潤滑剤塗布装置も配管の開口端に固定される。このため、作業員は手でケーブル入線用潤滑剤塗布装置を支持する必要がなくなる。よって作業員が、入線作業と潤滑剤の塗布作業を、同時に行うことができる。またケーブル出口を配管の開口端に挿入、または、配管の開口端を、ケーブル出口に挿入することにより、潤滑剤の着いたケーブルの外周面は露出する事無く配管に入線される。その為、手や作業場を潤滑剤で汚す事が無く効率よく入線作業ができる。
【００１８】
これから入線する配管の中に、既設ケーブルが存在しても、この既設ケーブルを、ケーブル出口の切り欠きより、ケーシングの外側に取り出し、ケーシングを配管の開口端に固定することが出来る。この事により新たに入線するケーブルと入線作業に邪魔になる既設ケーブルを分けることが出来る。この事により入線作業が効率よく出来る。
【図面の簡単な説明】
【００１９】
【図１】ケーブル入線用潤滑剤塗布装置の斜視図である。
【図２】ケーシングから潤滑剤含浸部材を取外したケーブル入線用潤滑剤塗布装置の斜視図である。
【図３】ケーシングから取り出した潤滑剤含浸部材の斜視図である。
【図４】ケーブル入線作業の準備と作業員の配置図である。（実施例１）から（実施例６）
【図５】ケーシングの中にケーブルを接続したケーブル引き線を通す手順を説明するケーブル入線用潤滑剤塗布装置の説明図である。（実施例２）
【図６】ケーブルを接続したケーブル引き線をケーシング内に通したケーブル入線用潤滑剤塗布装置の側面図である。（実施例２）
【図７】ケーブルを接続したケーブル引き線をケーシング内に通し、配管の開口端をケーブル出口に挿入しケーシングを配管の開口端に固定した状態における、ケーブル入線用潤滑剤塗布装置の分解斜視図である。（実施例３）
【図８】ケーブルを接続したケーブル引き線をケーシング内に通し、配管の開口端をケーブル出口に挿入しケーシングを配管の開口端に固定した状態における、ケーブル入線用潤滑剤塗布装置の側面図である。（実施例３）
【図９】ケーブルを接続したケーブル引き線をケーシング内に通し、配管の開口端をケーブル出口に挿入し、配管の開口端にケーシングを固定し既設ケーブルをケーシングの外側に取り出した状態における、ケーブル入線用潤滑剤塗布装置の分解斜視図である。（実施例４）
【図１０】ケーブルを接続したケーブル引き線をケーシング内に通し、配管の開口端をケーブル出口に挿入し、配管の開口端にケーシングを固定し既設ケーブルをケーシングの外側に取り出した状態における、ケーブル入線用潤滑剤塗布装置の側面図である。（実施例４）
【図１１】ケーブルを接続したケーブル引き線をケーシング内に通し、配管の開口端にケーブル出口を挿入しケーシングを配管の開口端に固定した状態における、ケーブル入線用潤滑剤塗布装置の側面図である。（実施例５）
【図１２】ケーブルを接続したケーブル引き線をケーシング内に通し、配管の開口端にケーブル出口を挿入し、配管の開口端にケーシングを固定し既設ケーブルをケーシングの外側に取り出した状態における、ケーブル入線用潤滑剤塗布装置の側面図である。（実施例６）
【考案を実施するための形態】
【００２０】
図１から図４、図９、図１０、図１２を参照しつつケーブル入線用潤滑剤塗布装置１の構成を説明する。ケーブル入線用潤滑剤塗布装置１は、ケーシング２と、ケーシング２内部の潤滑剤を含浸可能な多孔質の潤滑剤含浸部材３と潤滑剤を潤滑剤含浸部材３に含浸させる潤滑剤供給口４と、を有している。ケーシング２には、開閉可能な上蓋５と下蓋６がある。ケーシング２には、ケーシング２を閉めた時、固定するバンド７が取り付けてある。潤滑剤供給口４には潤滑材を供給する為の、潤滑剤供給源８が付いる。潤滑剤供給源８は、潤滑材をケーシング２内の、潤滑剤含浸部材３に供給するポンプ９と、潤滑剤を入れるタンク１０を有す。ポンプ９には、ポンプ９にトリガー１１が付いている。作業員２４aが、ポンプ９のトリガー１１を引くことにより、タンク１０に入れてある潤滑剤を、潤滑剤供給口４からケーシング２内部の潤滑剤含浸部材３に含浸させることができる。ケーシング２には、ケーブル入口１２とケーブル出口１３がある。ケーブル出口１３は、切り欠き１４がある。この切り欠き１４は、ケーシング２を配管２１の開口端に固定した時、既設ケーブル２２があった際に既設ケーブル２２をケーシング２の外に取り出す為の物である。
【００２１】
図７から図８、を参照しつつケーシング２を、配管２１ｃの開口端に固定するための固定具１５の構成を説明する。配管２１ｃの開口端にケーシング２を固定する固定具１５は、配管２１ｃの開口端側部分を保持する配管固定具１６と、ケーシング２を挟み込み保持するケーシング固定具１７、配管固定具１６とケーシング固定具１７を連結する連結材１８が有る。配管固定具１６で、配管２１ｃを挟み、配管固定具１６をボルト１９ａナット２０ａで締め付け配管固定具１６を配管２１ｃの開口端側部分に固定する。ケーシング固定具１７でケーシング２を挟み、ケーシング固定具１７をボルト１９ｂナット２０ｂで締め付けケーシング固定具１７をケーシング２に取付ける。あらかじめ配管固定具１６を締め付けたボルト１９ａ、ナット２０ａとケーシング固定具１７を締め付けたボルト１９ｂ、ナット２０ｂは、連結材１８を通しある。このことによりケーシング２を配管２１ｃの開口端に固定することが出来る。
【実施例１】
【００２２】
ケーブル入線用潤滑剤塗布装置１の使用方法について図４から図１２、を用いて説明する。
【００２３】
まず、ケーブル２３を配管２１に入線する際の、作業員２４の配置とケーブル入線前の準備を、図４を用いて説明する。ケーブル２３ａを挿入する配管２１ａの開口端側をケーブル挿入側２６とする。ケーブル２３ａを引き出す配管２１ａの開口端側をケーブル引き出し側２７とする。作業員２４ａ、２４ｂを、配管２１ａの両方の開口端側に配置する。ケーブル２３ａを配管２１ａの中に入線する際は、まず、ケーブル引き線２５ａを、ケーブル挿入側２６の配管の開口端から、ケーブル引き出し側２７の配管の開口端まで、通しておく。
【００２４】
配管２１ａに入線するケーブル２３ａをケーブル挿入側２６に準備する。配管２１aの中に通したケーブル引き線２５aの端部に、ケーブル２３aの端部を取れないように接続する。ケーブル入線用潤滑剤塗布装置１は、ケーブル挿入側２６で使用する。上記が、作業員２４の配置とケーブル入線前の準備である。作業員２４の配置とケーブル入線前の準備は、（実施例２）から（実施例６）においても、同様である。
【実施例２】
【００２５】
ケーシング２の中にケーブル２３が接続されたケーブル引き線２５を、を通し、潤滑剤をケーブル２３に塗布しながら、ケーブル２３を配管２１に、入線する為のケーブル入線用潤滑剤塗布装置１の使用方法について、図４から図６を用いて説明する。まず（実施例１）の様に、作業員２４の配置とケーブル入線前の準備をする。ケーブル挿入側２６の作業員２４aは、ケーシング２の、上蓋５と下蓋６を開き、ケーブル２３ｂが接続されたケーブル引き線２５ｂを、ケーブル入口１２とケーブル出口１３に合わせて、ケーシング２の中に、入れる。その際ケーシング２の向きは、ケーブル出口１３を、これから入線する配管２１ｂ側に向ける。ケーシング２の上蓋５と下蓋６を閉める。ケーシング２に取り付けてあるバンド７で、ケーシング２が開かないように、固定する。
【００２６】
ケーブル挿入側２６の作業員２４ａは、ケーブル入線用潤滑剤塗布装置１を手で持ち、ポンプ９のトリガー１１を、引く。このことにより潤滑剤を、ポンプ９で潤滑剤供給口４から、ケーシング２内部の潤滑剤含浸部材３に供給する事が出来る。ケーブル引き線２５ｂに接続されたケーブル２３ｂは、ケーシング２を通過する際、ケーシング２内で潤滑剤含浸部材３に接触してケーブル２３ｂの外周面に、潤滑剤が付着する。ケーブル引き出し側２７の作業員２４ｂが、ケーブル引き線２５ｂを、配管２１ｂの開口端から引き出す。その際、ケーブル挿入側２６の作業員２４ａは、ケーブル２３ｂをケーシング２の中を通過させ、配管２１ｂに送り出す。ケーブル２３ｂを送り出す際、適量の潤滑剤をケーシング２内部の潤滑剤含浸部材３に供給する。ケーブル２３ｂがケーブル引き線２５ｂに引っ張られて、ケーブル出口１３から引き出される。ケーシング２の中を通過しケーブル出口１３から引き出されたケーブル２３ｂの、外周面には、潤滑剤が塗布されている。潤滑剤を塗布されたケーブル２３ｂが、ケーブル引き線２５ｂに引っ張られて、配管２１ｂの中に入線される。
【実施例３】
【００２７】
次に配管２１の開口端をケーブル出口１３に挿入し配管２１の開口端に、ケーシング２を取り付けた場合の、ケーブル入線用潤滑剤塗布装置１の使用方法について、図４、図７から図８を用いて説明する。まず（実施例１）の様に、作業員２４の配置とケーブル入線前の準備をする。ケーブル挿入側２６の作業員２４aは,ケーシング２の上蓋５と下蓋６を開く。配管２１ｃの開口端をケーブル出口１３に挿入する。ケーブル２３ｃが接続されたケーブル引き線２５ｃを、ケーブル入口１２とケーブル出口１３に合わせケーシング２の中に入れる。ケーシング２内に、ケーブル出口１３に挿入された配管２１ｃと、ケーブル引き線２５ｃが有る状態でケーシング２を閉める。ケーシング２に取り付けてあるバンド７で、ケーシング２が開かないように、固定する。
【００２８】
配管固定具１６で配管２１ｃの開口端側部分を挟む。配管固定具１６をボルト１９ａナット２０ａで締め付け配管２１ｃの開口端側部分に、配管固定具１６を固定する。ケーシング固定具１７でケーシング２を挟む。ケーシング固定具１７をボルト１９ｂナット２０ｂ締め付けケーシング２に、ケーシング固定具１７を取り付ける。あらかじめ配管固定具１６を締め付けたボルト１９ａナット２０ａとケーシング固定具１７を締め付けたボルト１９ｂナット２０ｂは、連結材１８を通しある。これによりケーシング２を配管２１ｃの開口端に固定することが出来る。ケーブル挿入側２６の作業員２４ａが、潤滑剤を潤滑剤供給口４からケーシング２内部の潤滑剤含浸部材３に、供給する。
【００２９】
ケーブル引き出し側２７の作業員２４ｂが、配管２１ｃの開口端からケーブル引き線２５ｃを、引き出す。その際、ケーブル挿入側２６の作業員２４ａは、ケーブル２３ｃをケーブル入口１２に送り出す。ケーブル２３ｃを送り出す際、適量の潤滑剤をケーシング２内部の潤滑剤含浸部材３に供給する。ケーブル２３ｃがケーブル引き線２５ｃに引っ張られて、ケーシング２の中を通過して、ケーブル出口１３から引き出される。ケーブル出口１３側から引き出されたケーブル２３ｃの、外周面には、潤滑剤が塗布されている。ケーシング２を配管２１ｃの開口端に固定することで、ケーブル入線用潤滑剤塗布装置１も配管２１ｃの開口端に固定される。それにより、ケーブル挿入側２６の作業員２４ａがケーブル入線用潤滑剤塗布装置１を支持する必要がない。また、ケーブル挿入側２６の作業員２４aは、ケーシング２の中の潤滑剤含浸部材３に、潤滑剤を供給し、ケーブル２３cをケーブル入口１２に送り出す作業だけでよい。配管２１ｃの開口端がケーブル出口１３に挿入されている。そのため、ケーブル出口１３から引き出されたケーブル２３ｃの外周面は、露出する事無く配管２１ｃの中に入線される。そのため潤滑剤で、手や作業場を汚すことなく効率的に入線作業ができる。
【実施例４】
【００３０】
次に、これから入線する配管２１に、既設ケーブル２２があり配管２１の開口端を、ケーブル出口１３に挿入し、配管２１の開口端に、ケーシング２を取り付けた場合の、のケーブル入線用潤滑剤塗布装置１の使用方法について、図４、図９から図１０、を用いて説明する。まず（実施例１）の様に、作業員２４の配置とケーブル入線前の準備をする。ケーブル挿入側２６の作業員２４aは、ケーシング２の上蓋５と下蓋６を開く。配管２１ｄの開口端をケーブル出口１３に挿入する。ケーブル２３ｄが接続されたケーブル引き線２５ｄを、ケーブル入口１２とケーブル出口１３に合わせケーシング２の中に入れる。ケーシング２内にケーブル出口１３に挿入された配管２１ｄと、ケーブル引き線２５ｄが有る状態でケーシング２を閉める。その際、既設ケーブル２２ａを、既設ケーブル２２ａを取り出すための、切り欠き１４からケーシング２の外に取り出す。ケーシング２に取り付けてあるバンド７で、ケーシング２が開かないように、固定する。
【００３１】
これにより、新たに入線するケーブル２３ｄと，入線作業に邪魔になる既設ケーブル２２ａを分けることが出来る。配管固定具１６で配管２１ｄの開口端側部分を挟む。配管固定具１６をボルト１９ａナット２０ａで締め付け配管２１ｄの開口端側部分に、配管固定具１６を固定する。ケーシング固定具１７でケーシング２を挟む。ケーシング固定具１７をボルト１９ｂナット２０ｂ締め付けケーシング２に、ケーシング固定具１７を取り付ける。あらかじめ配管固定具１６を締め付けたボルト１９ａナット２０ａとケーシング固定具１７を締め付けたボルト１９ｂナット２０ｂは、連結材１８を通しある。このことによりケーシング２を配管２１ｄの開口端に固定することが出来る。ケーブル挿入側２６の作業員２４ａが、潤滑剤を潤滑剤供給口４からケーシング２内部の潤滑剤含浸部材３に、供給する。
【００３２】
ケーブル引き出し側２７の作業員２４ｂが、配管２１ｄの開口端から、ケーブル引き線２５ｄを、引き出す。その際、ケーブル挿入側２６の作業員２４ａは、ケーブル２３ｄをケーブル入口１２に送り出す。ケーブル２３ｄを送り出す際、適量の潤滑剤をケーシング２内部の潤滑剤含浸部材３に供給する。ケーブル２３ｄがケーブル引き線２５ｄに引っ張られて、ケーシング２の中を通過して、ケーブル出口１３から引き出される。ケーブル出口１３側から引き出されたケーブル２３ｄの、外周面には、潤滑剤が塗布されている。ケーシング２を配管２１ｄの開口端に固定することで、ケーブル入線用潤滑剤塗布装置１も配管２１ｄの開口端に固定される。それにより、ケーブル挿入側２６の作業員２４ａがケーブル入線用潤滑剤塗布装置１を支持する必要がない。また、ケーブル挿入側２６の作業員２４aは、ケーシング２の中の潤滑剤含浸部材３に、潤滑剤を供給し、ケーブル２３dをケーブル入口１２に送り出す作業だけでよい。配管２１ｄの開口端がケーブル出口１３に挿入されている。そのため、ケーブル出口１３から引き出されたケーブル２３ｄの外周面は、露出する事無く配管２１ｄの中に入線される。そのため潤滑剤で、手や作業場を汚すことなく効率的に入線作業ができる。
【実施例５】
【００３３】
次に、配管２１の開口端に、ケーブル出口１３を挿入し、配管２１の開口端に、ケーシング２を取り付けた場合の、ケーブル入線用潤滑剤塗布装置１の使用方法について図４、図１１を、用いて説明する。まず（実施例１）の様に、作業員２４の配置とケーブル入線前の準備をする。ケーブル挿入側２６の作業員２４aは、ケーシング２の上蓋５と下蓋６を開く。ケーブル２３ｅが接続されたケーブル引き線２５ｅを、ケーブル入口１２とケーブル出口１３に合わせて、ケーシング２の中に、入れる。その際ケーシング２の向きは、ケーブル出口１３を、これから入線する配管２１ｅ側に向ける。ケーシング２の上蓋５と下蓋６を閉める。ケーシング２に取り付けてあるバンド７で、ケーシング２が開かないように、固定する。
【００３４】
ケーブル出口１３を、配管２１ｅの開口端に挿入する。配管固定具１６で配管２１ｅの開口端側部分を挟む。配管固定具１６をボルト１９ａナット２０ａで締め付け配管２１ｅの開口端側部分に、配管固定具１６を固定する。ケーシング固定具１７でケーシング２を挟む。ケーシング固定具１７をボルト１９ｂナット２０ｂ締め付けケーシング２に、ケーシング固定具１７を取り付ける。あらかじめ配管固定具１６を締め付けたボルト１９ａナット２０ａとケーシング固定具１７を締め付けたボルト１９ｂナット２０ｂは、連結材１８を通しある。このことによりケーシング２を配管２１ｅの開口端に固定することが出来る。ケーブル挿入側２６の作業員２４ａが、潤滑剤を潤滑剤供給口４からケーシング２内部の潤滑剤含浸部材３に、注入する。
【００３５】
ケーブル引き出し側２７の作業員２４ｂが、ケーブル引き線２５ｅを、配管２１ｅの開口端から引き出す。ケーブルが２３ｅケーブル引き線２５ｅに引っ張られて、ケーシング２の中を通過して、ケーブル出口１３から引き出される。その際、ケーブル挿入側２６の作業員２４ａは、ケーブル２３eをケーブル入口１２に送り出す。ケーブル２３eを送り出す際、適量の潤滑剤をケーシング２内部の潤滑剤含浸部材３に供給する。ケーブル出口１３側から引き出されたケーブル２３ｅの、外周面には、潤滑剤が塗布されている。ケーシング２を配管２１ｅの開口端に固定することで、ケーブル入線用潤滑剤塗布装置１も配管２１ｅの開口端に固定される。それにより、ケーブル挿入側２６の作業員２４ａがケーブル入線用潤滑剤塗布装置１を支持する必要がない。また、ケーブル挿入側２６の作業員２４aは、ケーシング２の中の潤滑剤含浸部材３に、潤滑剤を供給し、ケーブル２３eをケーブル入口１２に送り出す作業だけでよい。ケーブル出口１３が配管２１ｅの開口端に、挿入されている。そのため、ケーブル出口１３から引き出されたケーブル２３ｅの外周面は、露出する事無く配管２１ｅの中に入線される。そのため潤滑剤で、手や作業場を汚すことなく効率的に入線作業ができる。
【実施例６】
【００３６】
次に、これから入線する配管２１に、既設ケーブル２２があり配管２１の開口端に、ケーブル出口１３を挿入し、配管２１の開口端部分に、ケーシング２を取り付けた場合の、ケーブル入線用潤滑剤塗布装置１の使用方法について図４、図１２を、用いて説明する。まず（実施例１）の様に、作業員２４の配置とケーブル入線前の準備をする。ケーブル挿入側２６の作業員２４aは、ケーシング２の上蓋５と下蓋６を開く。ケーブル２３ｆが接続されたケーブル引き線２５ｆを、ケーブル入口１２とケーブル出口１３に合わせて、ケーシング２の中に、入れる。その際ケーシング２の向きは、ケーブル出口１３を、これから入線する配管２１ｆ側に向ける。ケーシング２の上蓋５と下蓋６を閉める。ケーシング２に取り付けてあるバンド７で、ケーシング２が開かないように、固定する。
【００３７】
ケーブル出口１３を、配管２１ｆの開口端に挿入する。その際、既設ケーブル２２ｂを、既設ケーブル２２ｂを取り出すための、切り欠き１４からケーシング２の外に取り出す。配管固定具１６で配管２１ｆの開口端側部分を挟む。配管固定具１６をボルト１９ａナット２０ａで締め付け配管２１ｆの開口端側部分に、配管固定具１６を固定する。ケーシング固定具１７でケーシング２を挟む。ケーシング固定具１７をボルト１９ｂナット２０ｂ締め付けケーシング２に、ケーシング固定具１７を取り付ける。あらかじめ配管固定具１６を締め付けたボルト１９ａナット２０ａとケーシング固定具１７を締め付けたボルト１９ｂナット２０ｂは、連結材１８を通しある。このことによりケーシング２を配管２１ｆの開口端に固定することが出来る。ケーブル挿入側２６の作業員２４ａが、潤滑剤を潤滑剤供給口４からケーシング２内部の潤滑剤含浸部材３に、注入する。
【００３８】
ケーブル引き出し側２７の作業員２４ｂが、ケーブル引き線２５ｆを、配管２１ｆの開口端から引き出す。その際、ケーブル挿入側２６の作業員２４ａは、ケーブル２３ｆをケーブル入口１２に送り出す。ケーブル２３ｆを送り出す際、適量の潤滑剤をケーシング２内部の潤滑剤含浸部材３に供給する。ケーブル２３ｆがケーブル引き線２５ｆに引っ張られて、ケーシング２の中を通過して、ケーブル出口１３から引き出される。ケーブル出口１３側から引き出されたケーブル２３ｆの、外周面には、潤滑剤が塗布されている。ケーシング２を配管２１ｆの開口端に固定することで、ケーブル入線用潤滑剤塗布装置１も配管２１ｆの開口端に固定される。それにより、ケーブル挿入側２６の作業員２４ａがケーブル入線用潤滑剤塗布装置１を支持する必要がない。また、ケーブル挿入側２６の作業員２４aは、ケーシング２の中の潤滑剤含浸部材３に、潤滑剤を供給し、ケーブル２３fをケーブル入口１２に送り出す作業だけでよい。ケーブル出口１３が、配管２１ｆの開口端に挿入されている。そのため、ケーブル出口１３から引き出されたケーブル２３ｆの外周面は、露出する事無く配管２１ｆの中に入線される。そのため潤滑剤で、手や作業場を汚すことなく効率的に入線作業ができる。
【産業上の利用可能性】
【００３９】
ケーブル入線作業において、ケーシングのケーブル出口の形状を、その時々の作業状況に応じて、変えることにより、作業環境を汚さずに、効率よく作業をする事が、できると考えられる。
【符号の説明】
【００４０】
１  ケーブル入線用潤滑剤塗布装置
２  ケーシング
３  潤滑剤含浸部材
４  潤滑剤供給口
５  上蓋
６  下蓋
７  バンド
８  潤滑剤供給源
９  ポンプ
１０  タンク
１１  トリガー
１２  ケーブル入口
１３  ケーブル出口
１４  切り欠き
１５  固定具
１６  配管固定具
１７  ケーシング固定具
１８  連結材
１９  ボルト
２０  ナット
２１  配管
２２  既設ケーブル
２３  ケーブル
２４  作業員
２５  ケーブル引き線
２６  ケーブル挿入側
２７  ケーブル引き出し側
【図１】
0003152616.tif 000003
【図２】
0003152616.tif 000004
【図３】
0003152616.tif 000005
【図４】
0003152616.tif 000006
【図５】
0003152616.tif 000007
【図６】
0003152616.tif 000008
【図７】
0003152616.tif 000009
【図８】
0003152616.tif 000010
【図９】
0003152616.tif 000011
【図１０】
0003152616.tif 000012
【図１１】
0003152616.tif 000013
【図１２】
0003152616.tif 000014